(57)【要約】【課題】  サーバーコンピュータのカバー着脱装置の提供。【解決手段】  主体、中隔板、後ろカバー、前カバーを具え、該主体がそれぞれ前カバーと後ろカバーで被覆される前収容室と後ろ収容室を具え、主体の二側辺に複数の前、後ろＬ形溝が設置されて前カバー、後ろカバーの前、後ろ位置決め柱に対応し結合され、更に中隔板の係合凹溝、高差係止ブロック、及び挿入孔がそれぞれ前カバーの中係合構造と後ろカバーの係止凹溝及び挿入孔に対応し結合され、最後にネジが後ろカバーの後端の貫通孔に通されて後ろカバーを主体に螺子止めし、そのうち前カバーの後端と後ろカバーの前凸縁が重畳し並びに複数の電磁防止凸点が設置されている。【選択図】        図１
2006059312.tif 000002
【特許請求の範囲】
【請求項１】
サーバーコンピュータの主体、中係合構造、後ろカバー、及び前カバーを具え、
該主体は、上サポートフレーム、二つの側板及び背板を具え、該上サポートフレームは該二つの側板の前段の間に跨設され並びに該二つの側板の前段上端に固定され、該二つの側板はそれぞれその前段上端に複数の前Ｌ形溝が凹設されてそれは下向きの直溝と該直溝の底部より後ろ向きに延伸された横溝を具え、該二つの側板はその後段上端に複数の後ろＬ形溝が凹設されてそれは下向きの直溝と該直溝の底部より前向きに延伸された横溝を具え、且つ該背板には複数のネジ孔が設けられ、
該中隔板は、横向きに該主体の中段に設置され並びに該主体内部を前収容室と後ろ収容室に区画し、該中隔板の上端が水平に折り曲げられて上折片が形成され、且つ該上折片の上に複数の位置決め突起が凸設され、複数の係合凹溝が凹設され、
該後ろカバーは、後ろ上板、前凸縁、二側の折片及び後ろ折片を具え、そのうち、該前凸縁は該後ろ上板前端より前向きに突出し且つその水平高さは該後ろ上板より低いものとされ、該前凸縁は該中隔板のこれら位置決め突起に対応するよう複数の係止凹溝が凹設され、該二側の折片の内面に複数の後ろ位置決めブロックが内向きに凸設されて該主体の後ろＬ形溝に対応し挿入され並びに前向きに移動させられて結合され、且つ該後ろ折片に複数の貫通孔が設けられてそれぞれ該背板の該ネジ孔に対応し、
該前カバーは、前上板、及び二側の折片を具え、該前上板の前端に複数の前係合構造が下向きに凸設されてそれは該上サポートフレームの前端部分に対応し係合され、該二側の折片の内面に複数の前位置決めブロックが内向きに凸設されてそれは該主体の前Ｌ形溝に対応して挿入され並びに後ろに移動されて結合され、且つ該前上板の後端に複数の中係合構造が下向きに凸設され、これら中係合構造は該中隔板のこれら係合凹溝に対応し係合され、
該前カバーと該後ろカバーはそれぞれ該主体の前収容室と後ろ収容室の上方を被覆し、且つ該後ろカバーの前凸縁が該中隔板の上折片上方に跨設重畳され、並びにこれら係止凹溝がこれら位置決め突起に対応し位置決めされ、これら後ろ位置決めブロックが該主体の後ろＬ形溝に対応し結合され、並びにこれら貫通孔を通る複数のネジにより該主体に固定され、該前カバーはこれら前位置決めブロックにより主体の前Ｌ形溝に対応し結合され、並びにこれら前係合構造と中係合構造が上サポートフレームの前端及び中隔板の係合凹溝に係合し、且つ前カバーの後端が中隔板の位置決め突起により持ち上げられ並びに後ろカバーの前凸縁上方に重畳されることを特徴とする、サーバーコンピュータのカバー着脱装置。
【請求項２】
請求項１記載のサーバーコンピュータのカバー着脱装置において、前係合構造と中係合構造がそれぞれＴ形フック及びエ形円柱とされ、且つそれぞれ上サポートフレームの前端及び中隔板の係合凹溝に対応し結合されることを特徴とする、サーバーコンピュータのカバー着脱装置。
【請求項３】
請求項１記載のサーバーコンピュータのカバー着脱装置において、中隔板が複数の挿入孔を具え、且つ後ろカバーの前凸縁が中隔板の該挿入孔に対応し係合される複数の係止部を具えたことを特徴とする、サーバーコンピュータのカバー着脱装置。
【請求項４】
請求項１記載のサーバーコンピュータのカバー着脱装置において、後ろカバーの前凸縁に複数の電磁防止凸点が設けられたことを特徴とする、サーバーコンピュータのカバー着脱装置。
【発明の詳細な説明】
【技術分野】
【０００１】
本発明は一種のサーバーコンピュータのカバー着脱装置に係り、特に、前、後ろカバーを具えたカバー着脱装置の構造に関する。
【背景技術】
【０００２】
サーバーコンピュータは広く各企業に使用され、その特徴は、規格化された機体サイズにより統一管理されたマシンルームのなかで、最大の土地利用効率を以てサーバーの維持が行なえることにある。
【０００３】
一般に、サーバーコンピュータ内部部品は多く、その平面面積は大きく、このため周知のサーバーコンピュータの多くは前カバー、後ろカバーのダブルカバー構造とされ、これによりサーバーコンピュータ外部を完全に被覆すると共に、十分なケース剛性を保有するものとされている。
【０００４】
しかし、周知のサーバーコンピュータの前カバー、後ろカバーの設計は、着脱時に通常連動が必要で、即ち使用者が前カバーを取り外して一部の部品を修理したい時には、連帯して後ろカバーも取り外さねばならず、その反対も然りである。このような設計であると、コンピュータケースの剛性が十分であっても、不便な設計となり、なぜなら、多くの情況にあって、使用者は実際には前カバーか後ろカバーのいずれか一方を着脱することで必要な動作を行なえるためである。
【発明の開示】
【発明が解決しようとする課題】
【０００５】
本発明の主要な目的は、一種のサーバーコンピュータのカバー着脱装置を提供することにあり、それは、単独で前カバー或いは後ろカバーを着脱でき、修理員の操作に便利であるものとする。
【０００６】
本発明の次の目的は、一種のサーバーコンピュータのカバー着脱装置を提供することにあり、それは、最少のネジで前カバー、後ろカバーの組付けを完成できると共に、その構造の安定性を維持できるものとする。
【課題を解決するための手段】
【０００７】
請求項１の発明は、サーバーコンピュータの主体、中係合構造、後ろカバー、及び前カバーを具え、
該主体は、上サポートフレーム、二つの側板及び背板を具え、該上サポートフレームは該二つの側板の前段の間に跨設され並びに該二つの側板の前段上端に固定され、該二つの側板はそれぞれその前段上端に複数の前Ｌ形溝が凹設されてそれは下向きの直溝と該直溝の底部より後ろ向きに延伸された横溝を具え、該二つの側板はその後段上端に複数の後ろＬ形溝が凹設されてそれは下向きの直溝と該直溝の底部より前向きに延伸された横溝を具え、且つ該背板には複数のネジ孔が設けられ、
該中隔板は、横向きに該主体の中段に設置され並びに該主体内部を前収容室と後ろ収容室に区画し、該中隔板の上端が水平に折り曲げられて上折片が形成され、且つ該上折片の上に複数の位置決め突起が凸設され、複数の係合凹溝が凹設され、
該後ろカバーは、後ろ上板、前凸縁、二側の折片及び後ろ折片を具え、そのうち、該前凸縁は該後ろ上板前端より前向きに突出し且つその水平高さは該後ろ上板より低いものとされ、該前凸縁は該中隔板のこれら位置決め突起に対応するよう複数の係止凹溝が凹設され、該二側の折片の内面に複数の後ろ位置決めブロックが内向きに凸設されて該主体の後ろＬ形溝に対応し挿入され並びに前向きに移動させられて結合され、且つ該後ろ折片に複数の貫通孔が設けられてそれぞれ該背板の該ネジ孔に対応し、
該前カバーは、前上板、及び二側の折片を具え、該前上板の前端に複数の前係合構造が下向きに凸設されてそれは該上サポートフレームの前端部分に対応し係合され、該二側の折片の内面に複数の前位置決めブロックが内向きに凸設されてそれは該主体の前Ｌ形溝に対応して挿入され並びに後ろに移動されて結合され、且つ該前上板の後端に複数の中係合構造が下向きに凸設され、これら中係合構造は該中隔板のこれら係合凹溝に対応し係合され、
該前カバーと該後ろカバーはそれぞれ該主体の前収容室と後ろ収容室の上方を被覆し、且つ該後ろカバーの前凸縁が該中隔板の上折片上方に跨設重畳され、並びにこれら係止凹溝がこれら位置決め突起に対応し位置決めされ、これら後ろ位置決めブロックが該主体の後ろＬ形溝に対応し結合され、並びにこれら貫通孔を通る複数のネジにより該主体に固定され、該前カバーはこれら前位置決めブロックにより主体の前Ｌ形溝に対応し結合され、並びにこれら前係合構造と中係合構造が上サポートフレームの前端及び中隔板の係合凹溝に係合し、且つ前カバーの後端が中隔板の位置決め突起により持ち上げられ並びに後ろカバーの前凸縁上方に重畳されることを特徴とする、サーバーコンピュータのカバー着脱装置としている。
請求項２の発明は、請求項１記載のサーバーコンピュータのカバー着脱装置において、前係合構造と中係合構造がそれぞれＴ形フック及びエ形円柱とされ、且つそれぞれ上サポートフレームの前端及び中隔板の係合凹溝に対応し結合されることを特徴とする、サーバーコンピュータのカバー着脱装置としている。
請求項３の発明は、請求項１記載のサーバーコンピュータのカバー着脱装置において、中隔板が複数の挿入孔を具え、且つ後ろカバーの前凸縁が中隔板の該挿入孔に対応し係合される複数の係止部を具えたことを特徴とする、サーバーコンピュータのカバー着脱装置としている。
請求項４の発明は、請求項１記載のサーバーコンピュータのカバー着脱装置において、後ろカバーの前凸縁に複数の電磁防止凸点が設けられたことを特徴とする、サーバーコンピュータのカバー着脱装置としている。
【発明の効果】
【０００８】
本発明のサーバーコンピュータのカバー着脱装置は、単独で前カバー或いは後ろカバーを着脱でき、修理員の操作に便利であり、また、最少のネジで前カバー、後ろカバーの組付けを完成できると共に、その構造の安定性を維持できる。
【発明を実施するための最良の形態】
【０００９】
本発明のサーバーコンピュータのカバー着脱装置は、サーバーコンピュータの主体、中係合構造、後ろカバー、及び前カバーを具えている。
【００１０】
該主体は、上サポートフレーム、二つの側板及び背板を具え、該上サポートフレームは該二つの側板の前段の間に跨設され並びに該二つの側板の前段上端に固定され、該二つの側板はそれぞれその前段上端に複数の前Ｌ形溝が凹設されてそれは下向きの直溝と該直溝の底部より後ろ向きに延伸された横溝を具え、該二つの側板はその後段上端に複数の後ろＬ形溝が凹設されてそれは下向きの直溝と該直溝の底部より前向きに延伸された横溝を具え、且つ該背板には複数のネジ孔が設けられている。
【００１１】
該中隔板は、横向きに該主体の中段に設置され並びに該主体内部を前収容室と後ろ収容室に区画し、該中隔板の上端が水平に折り曲げられて上折片が形成され、且つ該上折片の上に複数の位置決め突起が凸設され、複数の係合凹溝が凹設されている。
【００１２】
該後ろカバーは、後ろ上板、前凸縁、二側の折片及び後ろ折片を具え、そのうち、該前凸縁は該後ろ上板前端より前向きに突出し且つその水平高さは僅かに該後ろ上板より低いものとされ、該前凸縁は該中隔板のこれら位置決め突起に対応するよう複数の係止凹溝が凹設され、該二側の折片の内面に複数の後ろ位置決めブロックが内向きに凸設されて該主体の後ろＬ形溝に対応し挿入され並びに前向きに移動させられて結合され、且つ該後ろ折片に複数の貫通孔が設けられてそれぞれ該背板の該ネジ孔に対応する。
【００１３】
該前カバーは、前上板、及び二側の折片を具え、該前上板の前端に複数の前係合構造が下向きに凸設されてそれは該上サポートフレームの前端部分に対応し係合される。該二側の折片の内面に複数の前位置決めブロックが内向きに凸設されてそれは該主体の前Ｌ形溝に対応して挿入され並びに後ろに移動されて結合され、且つ該前上板の後端に複数の中係合構造が下向きに凸設され、これら中係合構造は該中隔板のこれら係合凹溝に対応し係合される。
【００１４】
該前カバーと該後ろカバーはそれぞれ該主体の前収容室と後ろ収容室の上方を被覆し、且つ該後ろカバーの前凸縁が該中隔板の上折片上方に跨設重畳され、並びにこれら係止凹溝がこれら位置決め突起に対応し位置決めされ、これら後ろ位置決めブロックが該主体の後ろＬ形溝に対応し結合され、並びにこれら貫通孔を通る複数のネジにより該主体に固定される。該前カバーはこれら前位置決めブロックにより主体の前Ｌ形溝に対応し結合され、並びにこれら前係合構造と中係合構造が上サポートフレームの前端及び中隔板の係合凹溝に係合し、且つ前カバーの後端が中隔板の位置決め突起により持ち上げられ並びに後ろカバーの前凸縁上方に重畳される。
【００１５】
言い換えると、本発明は前カバーと後ろカバーの両側に複数の位置決め構造が設けられて主体両側の位置決め凹溝との結合により位置決めが行なわれ、また、後ろカバーの前端に凹面が形成されて前カバーの後端と重畳され、並びに中隔板の位置決め突起が前カバーを支持して前カバー、後ろカバーの接続部分を衝突させず、前カバーの内面の前端、後端にいずれも複数の係合構造が設けられて前カバーが主体に係合固定され、二つのネジだけで前カバー、後ろカバーが主体に固定され、着脱のいずれも非常に快速に行なえ、高い実用性を有している。
【実施例１】
【００１６】
図１は本発明の実施例の前カバー部分の表示図である。本発明は、主体１、中隔板２及び前カバー３を具えている。該主体１は上サポートフレーム１３、二つの側板１１、１２及び背板１４を具え（視角の関係により、図３を参照されたい）、該上サポートフレーム１３は主体１の前上端を被覆し、該二つの側板１１、１２には前Ｌ形溝１１１、１２１が設置され、各前Ｌ形溝１１１、１２１は下向きの直溝１１１ａと該直溝１１１ａの底端より後ろ向きに延伸された横溝１１１ｂを具えている。
【００１７】
該中隔板２は該主体１の中段に横向きに設置され、その上端に上折片２１があり、且つ該上折片２１の上に複数の高差係止ブロック２２、複数の係合凹溝２３及び二つの挿入孔２４が設けられ（図３）、これら高差係止ブロック２２は上折片２１の平面より突出している。
【００１８】
該前カバー３は、前上板３０、前端３３、二側の折片３２及び後端３１を具えている。そのうち、前上板３０の前端３３に接近する部分に上サポートフレーム１３に対応する前係合構造３３１が設けられ、二側の折片３２の内面に、前位置決め柱３２１が設けられてそれは該主体１の前Ｌ形溝１１１、１２１に対応し結合され、且つ前上板３０の該後端３１に接近する部分に三つの中係合構造３１１が設けられ、これら中係合構造３１１は該中隔板２の係合凹溝２３に対応し結合される。前カバー３はこのような構造を利用し、まず前位置決め柱３２１が対応する前Ｌ形溝１１１、１２１に挿入され、その後、前カバー３が前より後ろにスライドさせられ、並びに前係合構造３３１により上サポートフレーム１３に係合され、中係合構造３１１は中隔板２の係合凹溝２３に係合され、こうして前カバーの固定が完成し、この時、前カバー３の前上板３０の後端近くは高差係止ブロック２２に押し上げられる。本実施例では、これら前係合構造３３１はＴ形フックとされるがこれに限定されるものではなく、その他の同じ効果を有する係合構造を使用できる。これら中係合構造３１１はエ形円柱とされるが、これに限定されるものではなく、その他の同じ効果を有する係合構造を使用できる。
【００１９】
続いて図２の本実施例の部分拡大図を参照されたい。図２には本発明の中隔板２及びそれに設けられた高差係止ブロック２２及び係合凹溝２３等の構造が明らかに示されている。
【００２０】
図３は本実施例の後ろカバー部分の表示図である。図には主体１の後半部及び後ろカバー４が示されている。主体１の後半部は二つの側板１１、１２を具え、それぞれ後ろＬ形溝１１２、１２２を具え、それは、下向きの直溝１１２ａと該直溝１１２ａの底部より前向きに延伸された横溝１１２ｂを具え、且つ該背板１４に二つのネジ孔（視角の関係から図示せず）が設けられている。
【００２１】
後ろカバー４は後ろ上板４０、前凸縁４１、二つの側壁４２及び後ろ折片４３を具えている。そのうち、前凸縁４１の水平高度は後ろ上板４０より僅かに低く（図２も参照されたい）、且つ該前凸縁４１の該中隔板２の位置決め突起２２に対応する部分に、複数の係止凹溝４１１、複数の電磁防止凸点４１３（図２参照）が設置され、また二つの係止部４１２が中隔板２の挿入孔２４に対応するよう形成され、該二側の折片４２の内面に二つの後ろ位置決め柱４２１が設けられてそれが主体１の後ろＬ形溝１１２、１２２に対応し結合される。且つ該後ろ折片４３に二つの貫通孔４３１が設置されてそれは背板１４のネジ孔１４１に対応する。
【００２２】
このような設計にあって、後ろカバー４の組立は前カバーに類似し、まず後ろ位置決め柱４２１が主体１の後ろＬ形溝１１２、１２２にアライメントされ、その後、後ろカバー４が後ろから前にスライドさせられ、この時、前凸縁４１の係止部４１２が中隔板２の挿入孔２４に対応させられて挿入され、前凸縁４１の係止凹溝４１１が中隔板２の高差係止ブロック２２に接触するとき、位置決めが達成され、この時、更に二つのネジ５が後ろカバー４の貫通孔４３１に通されて後ろカバー４を主体１のネジ孔に固定し、後ろカバーの固定が完成する。
【００２３】
図４、５の断面図を参照されたい。これは前後縦向きの高差係止ブロック２２部分の断面である。本発明の特徴は、前カバー３と後ろカバー４がそれぞれ主体１の前、後ろ上表面を被覆し、そのうち、前カバー３の後端３１が後ろカバー４の前凸縁４１の上を被覆し、この重畳位置がちょうど垂直に中隔板２の上折片２１の位置に対応し、且つ該前カバー３の後端３１が中隔板２の位置決め突起２２により支持され、また後ろカバー４の前凸縁４１が陥没する構造であり、これにより前カバー、後ろカバーが衝突しない。並びに、後ろカバー４の電磁防止凸点４１３と前カバー３の後端３１が接触してサーバーコンピュータ内部の電磁波の外漏れを防止し、安全規定に符合する。このような構造は、前カバーと後ろカバーのいずれもが速やかに位置決め固定でき、また着脱にも便利で、並びに二つのネジだけで必要な安定度が達成され、高い実用性を有している。
【００２４】
以上の実施例は本発明の範囲を限定するものではなく、以上の実施例の説明及び図面に基づきなしうる細部の修飾或いは改変は、いずれも本発明の請求範囲に属する。
【図面の簡単な説明】
【００２５】
【図１】本発明の実施例の前カバー部分の表示図である。
【図２】本発明の実施例の部分拡大図である。
【図３】本発明の実施例の後ろカバー部分の表示図である。
【図４】本発明の実施例の断面位置表示図である。
【図５】本発明の実施例の部分断面図である。
【符号の説明】
【００２６】
１  主体                        １１  側板
１１１  前Ｌ形溝                １１１ａ  直溝
１１１ｂ  横溝                  １１２  後ろＬ形溝
１１２ａ  直溝                  １１２ｂ  横溝
１２  側板                      １２１  前Ｌ形溝
１２２  後ろＬ形溝              １３  上サポートフレーム
１４  背板
２  中隔板                      ２１  上折片
２２  位置決め突起              ２３  係合凹溝
２４  挿入孔
３  前カバー                    ３０  前上板
３１  後端                      ３１１  中係合構造
３２  折片                      ３２１  前位置決め柱
３３  前端                      ３３１  前係合構造
４  後ろカバー                  ４０  後ろ上板
４１  前凸縁                    ４１１  係止凹溝
４１２  係止部                  ４１３  電磁防止凸点
４２  側壁                      ４２１  後ろ位置決め柱
４３  後ろ折片                  ４３１  貫通孔
５  ネジ
【図１】
2006059312.tif 000003
【図２】
2006059312.tif 000004
【図３】
2006059312.tif 000005
【図４】
2006059312.tif 000006
【図５】
2006059312.tif 000007